(57)【特許請求の範囲】
【請求項１】
顔を備えたロボットであって、
撮像部と、
前記顔の目の位置に配置される表示部と、
前記撮像部によって撮像された前記ロボットに正対するユーザの画像を前記表示部に表示させる表示制御部と、を備え、
前記表示制御部は、前記撮像部が撮像したユーザが特定の人物であるか否かを判別し、特定の人物である場合は、該人物の画像に所定の処理を施した画像を前記表示部に表示させる、
ことを特徴とするロボット。
【請求項２】
顔を備えたロボットであって、
撮像部と、
前記顔の目の位置に配置される表示部と、
前記撮像部によって撮像された前記ロボットに正対するユーザの画像を前記表示部に表示させる表示制御部と、
前記表示部に表示されている画像の被写体であるユーザが別のユーザに切り替わることを報知するユーザ切替報知部と、を備え、
前記ユーザ切替報知部は、前記表示部に目の瞬きを模した映像を表示させることにより前記報知を行う、
ことを特徴とするロボット。
【請求項３】
前記ユーザと正対するように前記顔の向きを調整する顔向調整部を備える、
ことを特徴とする請求項１又は２に記載のロボット。
【請求項４】
前記表示制御部は、前記ユーザの画像を前記表示部の位置から撮像されたように補正したうえで前記表示部に表示させる、
ことを特徴とする請求項１から３の何れか１項に記載のロボット。
【請求項５】
前記表示制御部は、前記ユーザとアイコンタクトが成立したときに、前記ユーザの画像を前記表示部に表示させる、
ことを特徴とする請求項１から４の何れか１項に記載のロボット。
【請求項６】
前記ユーザとアイコンタクトが成立したことを知らせるアイコンタクト報知部をさらに備える、
ことを特徴とする請求項１から５の何れか１項に記載のロボット。
【請求項７】
前記表示制御部は、前記撮像部によって撮像された画像内から複数のユーザが検出された場合に、前記ロボットと最もコミュニケーションしたいと想定されるユーザの画像を前記表示部に表示させる、
ことを特徴とする請求項１から６の何れか１項に記載のロボット。
【請求項８】
前記ロボットと最もコミュニケーションしたいと想定されるユーザの画像は、前記撮像部によって撮像された画像内で最も中央にあるユーザの画像、最もサイズの大きいユーザの画像、前記ロボットとの距離が最も近いユーザの画像、前記ロボットと最も視線の合うユーザの画像、音声の発信元に最も近い位置又は方向にあるユーザの画像の何れかである、
ことを特徴とする請求項７に記載のロボット。
【請求項９】
前記表示部に表示されている画像の被写体であるユーザが別のユーザに切り替わることを報知するユーザ切替報知部を備える、
ことを特徴とする請求項１及び請求項１に従属する請求項３から８の何れか１項に記載のロボット。
【請求項１０】
前記ユーザ切替報知部は、前記表示部に目の瞬きを模した映像を表示させることにより前記報知を行う、
ことを特徴とする請求項９に記載のロボット。
【請求項１１】
撮像部と顔の目の位置に配置される表示部とを備えたロボットを制御するコンピュータを、
前記撮像部に撮像させる撮像制御手段、
前記撮像された前記ロボットに正対するユーザの画像を前記表示部に表示させる表示制御手段、として機能させ、
前記表示制御手段は、前記撮像部が撮像したユーザが特定の人物であるか否かを判別し、特定の人物である場合は、該人物の画像に所定の処理を施した画像を前記表示部に表示させる、
プログラム。
【請求項１２】
撮像部と顔の目の位置に配置される表示部とを備えたロボットを制御するコンピュータを、 前記撮像部に撮像させる撮像制御手段、 前記撮像された前記ロボットに正対するユーザの画像を前記表示部に表示させる表示制御手段、 前記表示部に表示されている画像の被写体であるユーザが別のユーザに切り替わることを報知するユーザ切替報知手段、として機能させ、 前記ユーザ切替報知手段は、前記表示部に目の瞬きを模した映像を表示させることにより前記報知を行う、 プログラム。
【発明の詳細な説明】
【技術分野】
【０００１】
本発明は、ロボットの技術に関する。
【背景技術】
【０００２】
人間や動物等に模して人間と会話等のコミュニケーションをすることができるロボットが知られている。特許文献１には、このようなロボットとの会話での親近感を高めるために、ロボットの目の瞳を、カメラで撮像した画像等から判別したユーザの目の方向に制御する発明について記載されている。
【先行技術文献】
【特許文献】
【０００３】
【特許文献１】特開２００４−３４２７４号公報
【発明の概要】
【発明が解決しようとする課題】
【０００４】
ロボットと円滑にコミュニケーションするには、人間側でも、コミュニケーションの相手としてロボットが自分を認識していることに気づくことが重要である。気づかない場合、ロボットが一方的に人間に話しかけているような状態となり、双方向のコミュニケーションが成立しないためである。特許文献１に記載されているロボットでは、ロボットの瞳がユーザの目を向くように動くだけであるため、ロボットが自分を認識していることにユーザが気づかない可能性がある。特に、ロボットが群衆の中の一人のユーザと会話をしようとする場合には、ロボットの目の向きから、ロボットが誰と会話しようとしているかをユーザが認識することは困難であり、ロボットと円滑にコミュニケーションできない虞がある。また、カメラの位置と造形上の目の位置とが異なるロボットの場合は、カメラで撮像した画像から判別したユーザの方向と、ロボットの造形上の目から見たユーザの方向（視線方向）とでずれが生じるため、ロボットに見つめられていることをユーザが十分に実感できない虞も考えられる。
【０００５】
本発明は、上記実情に鑑みてなされたものであり、誰を認識しているかを容易に確認できるロボット及びプログラムを提供することを目的とする。
【課題を解決するための手段】
【０００６】
上記目的を達成するため、本発明のロボットは、
顔を備えたロボットであって、
撮像部と、
前記顔の目の位置に配置される表示部と、
前記撮像部によって撮像された前記ロボットに正対するユーザの画像を前記表示部に表示させる表示制御部と、を備え、
前記表示制御部は、前記撮像部が撮像したユーザが特定の人物であるか否かを判別し、特定の人物である場合は、該人物の画像に所定の処理を施した画像を前記表示部に表示させる、
ことを特徴とする。
【発明の効果】
【０００７】
本発明によれば、ロボットが誰を認識しているかを容易に確認できる。
【図面の簡単な説明】
【０００８】
【図１】本発明の実施形態に係るロボットの外観図である。
【図２】本発明の実施形態に係るロボットの顔部分を示した図であり、（Ａ）は通常表示状態、（Ｂ）はユーザ表示状態を示す図である。
【図３】本発明の実施形態に係るロボットの構成を示すブロック図である。
【図４】本発明の実施形態に係る表示制御処理のフローチャートを示す図である。
【図５】表示制御処理のフローチャートの変形例を示す図である。
【図６】所定の処理が施された顔画像が表示装置に表示されたロボットの顔部分を示した図である。
【図７】表示制御処理のフローチャートの変形例を示す図である。
【発明を実施するための形態】
【０００９】
以下、本発明の実施形態について、図面を参照しながら詳細に説明する。なお、図中同一または相当部分には同一符号を付す。
【００１０】
図１は、本発明の実施形態に係るロボット１０の外観を模式的に示した図である。ロボット１０は、図１に示すように顔１００と首２００と胴体３００とを備えた人型である。ロボット１０は、例えば、イベント会場の受付に設置され、来場者と会話して各種の案内をするために利用される。ロボット１０の顔１００には、２つの表示装置（表示部）１０１Ｌ、１０１Ｒと、カメラ（撮像部）１０２と、スピーカ１０３と、マイク１０４と、が設けられている。
【００１１】
２つの表示装置１０１Ｌ、１０１Ｒは、それぞれ、ＬＣＤ（Liquid Crystal Display）等で構成され、顔１００の左右の目に相当する位置に設けられている。また、２つの表示装置１０１Ｌ、１０１Ｒは、表示面が円形であり、これにより、ユーザにはロボット１０の目（左目、右目）として認識される。なお、以後の説明では、２つの表示装置１０１Ｌ、１０１Ｒを区別しない場合は表示装置１０１とも表記する。
【００１２】
また後述する表示制御処理により、ロボット１０に正対しているユーザがいない場合、図２（Ａ）に示すように表示装置１０１には、通常の目を模した画像が表示される。以下の説明では、このときの表示装置１０１の状態を「通常表示状態」とも表記する。
また、後述する表示制御処理により、ロボット１０に正対しているユーザがいる場合、図２（Ｂ）に示すように表示装置１０１には、このユーザの顔が表示される。以下の説明では、このときの表示装置１０１の状態を「ユーザ表示状態」とも表記する。
【００１３】
図１に戻り、カメラ１０２は、２つの表示装置１０１Ｌ、１０１Ｒの間の顔１００の眉間に相当する位置に設けられており、後述する制御部１１０の制御の下、所定の時間毎（例えば、１／６０秒毎）に撮像を行っている。カメラ１０２はロボット１０の目として機能する。
【００１４】
スピーカ１０３は、顔１００の口に相当する位置に設けられている。スピーカ１０３は、後述する制御部１１０の制御の下、各種の音声を出力する。スピーカ１０３はロボット１０の口としての機能を有する。
マイク１０４は、顔１００の顎に相当する部分に設けられ、周囲の音声を集音する。マイク１０４はロボット１０の耳として機能する。なお、ロボット１０の首２００や胴体３００にマイク１０４を設けてもよい。
【００１５】
また、図３に示すように、その他の構成として、ロボット１０は、首駆動部１０５と、操作ボタン１０６と、センサ群１０７と、電源部１０８と、記憶部１０９と、制御部１１０と、を備える。
【００１６】
首駆動部１０５は、複数のモータ等を備え、制御部１１０の指示に基づいて、人間の首と同様に、ロボット１０の顔の向きを上下左右自在に制御する。
【００１７】
操作ボタン１０６は、ロボット１０を操作するための各種のボタンであり、例えば、電源ボタンやモード切替ボタンなどを含む。
センサ群１０７は、加速度センサや障害物検知センサ等であり、ロボット１０の姿勢制御や、安全性の確保のために使用される。
電源部１０８は、ロボット１０に内蔵される充電池等であり、ロボット１０の各部に電力を供給する。
【００１８】
記憶部１０９は、ハードディスクドライブやフラッシュメモリ等から構成され、制御部１１０によって実行されるプログラムやカメラ１０２が撮像した画像データや各種のデータを記憶する。
【００１９】
制御部１１０は、ＣＰＵ（Central Processing Unit）、ＲＯＭ（Read Only Memory)、ＲＡＭ（Random Access Memory）などで構成される。制御部１１０は、ＲＡＭをワークスペースとして、記憶部１０９やＲＯＭに記憶されたプログラムを実行することにより、ロボット１０全体を制御する。例えば、制御部１１０は、マイク１０４で集音したユーザの音声に反応してスピーカ１０３から所定の音声を出力させることにより、正対しているユーザとコミュニケーション（会話）する。なお、本実施形態において「コミュニケーション」とは会話を伴うものに限らないものとする。ユーザとロボット１０とで見つめ合うこともコミュニケーションの一種である。
【００２０】
また、制御部１１０は、カメラ１０２が撮像した画像から正対するユーザの有無を判別し、ユーザがいる場合はその画像をカメラ１０２に表示させる表示制御部として機能する。
【００２１】
また、制御部１１０は、首駆動部１０５を制御して、ユーザと正対するように顔１００の向きを調整する顔向調整部として機能する。制御部１１０の行うこれらの処理の詳細については後述する。
【００２２】
続いて、上述したロボット１０の動作について説明する。ロボット１０の制御部１１０は、電源がＯＮの間、継続して、図４に示す表示制御処理を実行する。なお、制御部１１０は、表示制御処理とは独立して、ユーザと会話する処理等を実施しているものとする。
【００２３】
まず、制御部１１０は、カメラ１０２が撮像した画像を取得する（ステップＳ１０１）。なお、以下の説明では、ステップＳ１０１で取得した画像を取得画像とも表記する。
【００２４】
続いて、制御部１１０は、公知の手法を用いて、取得画像から所定サイズ以上の人間の顔を検出する顔検出処理を実施する（ステップＳ１０２）。例えば、制御部１１０は、人間の顔のテンプレートのデータを記憶部１０９に格納しておき、取得画像内でテンプレートに合致する部分を人間の顔として検出すればよい。
【００２５】
続いて、制御部１１０は、顔検出処理でユーザの顔を検出できたか否かを判別する（ステップＳ１０３）。ユーザの顔を検出できなかった場合（ステップＳ１０３；Ｎｏ）、制御部１１０は、表示装置１０１を図２（Ａ）に示すような通常表示状態に制御し（ステップＳ１０４）、ステップＳ１０１に処理は戻る。
【００２６】
一方、ユーザの顔を検出できた場合（ステップＳ１０３；Ｙｅｓ）、制御部１１０は、検出した顔にロボット１０が正対しているか否かを判別する（ステップＳ１０５）。例えば、制御部１１０は、検出した顔が取得画像の中央部分にある場合に正対していると判別すればよい。
【００２７】
ロボット１０がユーザの顔と正対していないと判別した場合（ステップＳ１０５；Ｎｏ）、制御部１１０は、首駆動部１０５を制御して、ユーザの顔と正対するように顔１００（カメラ１０２）の向きを調整し（ステップＳ１０６）、ステップＳ１０１に処理は戻る。
【００２８】
一方、ロボット１０がユーザの顔と正対していると判別した場合（ステップＳ１０５；Ｙｅｓ）、制御部１１０は、表示装置１０１の表示面のサイズと一致するように、取得画像から顔部分を円形に切り出す（トリミングする）（ステップＳ１０７）。なお、ステップＳ１０７で切り出した画像を顔画像とも表記する。
【００２９】
続いて、制御部１１０は、切り出した顔画像を鏡像反転（左右反転）させる（ステップＳ１０８）。そして、制御部１１０は、図２（Ｂ）に示すように、鏡像反転させた顔画像を左右の表示装置１０１Ｌ、１０１Ｒに表示させ（ステップＳ１０９）、ステップＳ１０１に処理は戻る。なお、制御部１１０は、ステップＳ１０９で顔画像を表示させた後、スピーカ１０３を制御して、この顔画像のユーザに話しかける等の処理を行ってもよい。
【００３０】
このように、本実施形態によれば、ロボット１０の顔１００の目に位置する表示装置１０１に、カメラ１０２によって撮像されたロボット１０に正対するユーザの画像が表示される。そのため、このユーザや他のユーザは、この表示からロボット１０が誰を認識しているかを容易に知ることができ、ロボット１０と円滑にコミュニケーションすることが可能となる。例えば、ロボット１０が群衆の中の一人のユーザと会話をしようとする場合であっても、ロボット１０が誰と会話しようとしているかはロボット１０の目（表示装置１０１）を確認するだけで容易に知ることができる。
また、本実施形態によれば、正対しているユーザがロボット１０の目（表示装置１０１）に表示されるため、カメラ１０２の位置と造形上の目の位置とが異なるロボット１０であっても、視線方向のずれの影響を受けずに、ユーザは、自分が見つめられていることを十分に実感することができる。
【００３１】
また、本実施形態によれば、カメラ１０２によって撮像された画像からユーザを検出できても、そのユーザがロボット１０と正対していない場合は、正対するようにロボット１０の顔１００の向きが調整される。そのため、ユーザは正対しているロボット１０と円滑にコミュニケーションすることが可能となる。
【００３２】
なお、本発明は、上記実施形態に限定されず、本発明の要旨を逸脱しない部分での種々の修正は勿論可能である。
【００３３】
（変形例１）
例えば、上記実施形態では、表示制御処理において、制御部１１０は、カメラ１０２で撮像したユーザの顔画像をそのまま表示装置１０１に表示したが、カメラ１０２の画角やフォーカス距離等のパラメータや表示装置１０１とカメラ１０２との間の相対位置情報等に基づいて、切り出した顔画像をロボット１０の目（表示装置１０１）の位置から撮像されたように補正してから表示してもよい。なお、この場合、左目（表示装置１０１Ｌ）の位置から撮像されたように補正された顔画像と、右目（表示装置１０１Ｒ）の位置から撮像されたように補正された顔画像との２種類の顔画像が作成されて別々に表示されることとなる。このようにすることで、表示装置１０１Ｌ、１０１Ｒには、ロボット１０の左右の目からユーザを見たような顔画像が表示されるため、ユーザは、ロボット１０に見つめられていることをより強く実感することができる。
【００３４】
（変形例２）
例えば、上記実施形態では、撮像したユーザの顔画像をそのまま表示装置１０１に表示したが、顔をデフォルメ処理した画像を表示させたり、減色処理した画像（例えば、モノクロ画像）を表示したりしてもよい。また、撮像したユーザが特定の人物であるか否かを判別し、特定の人物である場合には、その人物に特有の処理を施した画像を表示装置１０１に表示してもよい。
【００３５】
この場合、特定の人物の顔を識別するための情報（例えば、その人物の顔の画像データ）と、処理の内容とを対応付けたテーブルを記憶部１０９に記憶させておく。そして、図４に示す表示制御処理において、取得画像から切り出した顔画像を鏡像反転させた後（ステップＳ１０８）、図５に処理は移り、制御部１１０は、公知の手法を用いて、顔画像の人物がテーブルで規定されている特定の人物と同一であるか否かを判別する（ステップＳ２０１）。同一人物で無いと判別した場合（ステップＳ２０１；Ｎｏ）、図４に処理は移り、制御部１１０は、鏡像反転させた顔画像をそのまま表示させる（ステップＳ１０９）。一方、同一人物であると判別した場合（ステップＳ２０１；Ｙｅｓ）、制御部１１０は、テーブルを参照して所定の処理を顔画像に施す（ステップＳ２０２）。そして、図４に処理は移り、制御部１１０は、処理を施した画像を表示装置１０１に表示させる（ステップＳ１０９）。
【００３６】
図６は、このような処理が施された顔画像が表示装置１０１に表示されたロボット１０の顔を示す図である。この例では、星マークＰ１を重畳する処理が施された顔画像が表示装置１０１に表示されている。なお、別のマークを重畳して表示させたり、通常と背景の色が異なる顔画像を表示させたり、特定のメッセージが付された顔画像を表示させたりしてもよく、種々の処理を顔画像に施してよい。また、制御部１１０は、特定人物を検出した場合に、その人物の顔画像に替えて、予め準備したその人物用のアイコン画像等を表示装置１０１に表示させてもよい。
【００３７】
このようにすることで、特定の人物がロボット１０と正対した場合には、その人物に特有の処理が施された顔画像が表示されるため、より親近感の高いロボット１０とのコミュニケーションが実現できる。
【００３８】
（変形例３）
また、上述した図４に示す表示制御処理の顔検出処理（ステップＳ１０２）で取得画像から複数の顔を検出できる場合も考えられる。この場合、ロボット１０の制御部１１０は、取得画像内で最も中央にある顔、最もサイズの大きい顔、ロボット１０との距離が最も近い顔、ロボット１０と最も視線の合う顔、マイク１０４で集音した音声の発信元に最も近い位置や方向にある顔等を検出してステップＳ１０３以降の処理を実施し、顔画像を表示装置１０１に表示させてもよい。
【００３９】
このようにすることで、画像内から複数のユーザの顔が検出できた場合に最もロボット１０とコミュニケーションしたいと想定されるユーザの顔が表示装置１０１に表示されるため、より円滑なロボット１０とコミュニケーションすることが可能となる。
【００４０】
（変形例４）
例えば、表示制御処理において制御部１１０（ユーザ切替報知部）が、表示装置１０１に表示中の被写体であるユーザが別のユーザに切り替わることを報知してもよい。
【００４１】
この場合、図４に示す表示制御処理で取得画像から切り出した顔画像を鏡像反転させた後（ステップＳ１０８）、図７に処理は移り、制御部１１０は、この顔画像の被写体であるユーザが、現在表示している画像の被写体と異なっているか否かを判別する（ステップＳ３０１）。例えば、制御部１１０は、今回切り出した顔画像と、現在表示装置１０１に表示中の画像との類似度を公知の手法により求め、閾値以下である場合に異なっていると判別すればよい。
【００４２】
そして、被写体のユーザが異なっていないと判別した場合（ステップＳ３０１；Ｎｏ）、図４に処理は移り、制御部１１０は、鏡像反転させた顔画像をそのまま表示させる（ステップＳ１０９）。
【００４３】
一方、被写体のユーザが異なっていると判別した場合（ステップＳ３０１；Ｙｅｓ）、制御部１１０は、目の瞬きを模した映像を表示装置１０１に表示させる（ステップＳ３０２）。そして、図４に処理は移り、制御部１１０は、顔画像を表示装置１０１に表示させる（ステップＳ１０９）。なお、このとき表示される顔画像では、これまで表示していたユーザ（又は通常表示状態の画像）とは別のユーザが被写体となっている。
【００４４】
このようにすることで、ユーザは、ロボット１０の目（表示装置１０１）の瞬きから表示される人物が切り替わるタイミングを容易に知ることができるため、ロボット１０とより円滑にコミュニケーションすることが可能となる。なお、制御部１１０は、瞬きの代わりに特定の音声をスピーカ１０３から発生させたりしてもよく、人物が切り替わるタイミングを報知する手法は種々の手法が採用可能である。
【００４５】
（変形例５）
上述した実施形態では、カメラ１０２が撮像した画像からユーザの顔が検出できた場合に顔画像を表示したが、ユーザの視線方向も考慮に入れて画像を表示してもよい。
【００４６】
例えば、表示制御処理において、制御部１１０は、公知の手法により取得画像を解析してユーザの視線方向を取得し、ユーザがロボット１０を見ているか否かを判別する。そして、制御部１１０は、ユーザがロボット１０を見ていない場合は顔画像を表示装置１０１に表示せず、ユーザがロボット１０を見ている場合（アイコンタクトが成立している場合）に表示装置１０１に顔画像を表示させてもよい。
【００４７】
若しくは、制御部１１０（アイコンタクト報知部）は、ユーザの視線がロボット１０に切り替わってアイコンタクトが成立した際に、スピーカ１０３から特定の音声を出力させたり、表示装置１０１の表示を点滅させたり、眉毛などを備えて表情を変化することができる機構を備えたロボット１０の場合は表情を変化させたりする等して、その旨を報知してもよい。
【００４８】
このようにユーザの視線を考慮に入れた画像表示をすることで、ロボット１０とのアイコンタクトをユーザに促す効果が期待でき、ロボット１０とより円滑にコミュニケーションすることが可能となる。
【００４９】
（変形例６）
また、車輪等の駆動機構を備えて移動することができるようにロボット１０を構成してもよい。この場合、制御部１１０は、表示制御処理の顔検出処理（図４、ステップＳ１０２）で検出した顔との距離を公知の手法により求める。そして、制御部１１０は、ユーザとの距離が所定距離以内（例えば、２ｍ以内）になるように、駆動機構を制御してもよい。
【００５０】
（変形例７）
また、上記実施形態では、ユーザの顔部分の画像（顔画像）を表示装置１０１に表示させたが、ユーザの上半身の画像や全身画像等を表示装置１０１に表示させてもよい。
【００５１】
（変形例８）
また、上記実施形態では、左右の２つの目に相当する２つの表示装置１０１Ｌ、１０１Ｒを備えたロボット１０を示したが、１個のみの目や３個以上の目を有するロボットにも本発明は適用可能である。また、ロボット１０が行うユーザとのコミュニケーションは音声会話に限定されず、胴体等に設けたモニターにメッセージを表示してユーザとコミュニケーションするタイプのロボット等にも本発明は適用可能である。また、介護用のロボットや、ペットロボット等にも本発明は適用可能である。また、図１に示したような人型に限らず、犬型や猫型のような動物を模したロボット等にも本発明は適用可能である。
【００５２】
また、この発明のロボット１０の各機能は、通常のＰＣ（Personal Computer）等のコンピュータによっても実施することができる。具体的には、上記実施形態では、ロボット１０が行う表示制御処理のプログラムが、記憶部１０９や制御部１１０のＲＯＭに予め記憶されているものとして説明した。しかし、このプログラムを、フレキシブルディスク、ＣＤ−ＲＯＭ（Compact Disc Read Only Memory）、ＤＶＤ（Digital Versatile Disc）及びＭＯ（Magneto Optical Disc）等のコンピュータ読み取り可能な記録媒体に格納して配布し、そのプログラムをコンピュータにインストールすることにより、上述の各機能を実現することができるコンピュータを構成してもよい。
【００５３】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【００５４】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００５５】
（付記１）
顔を備えたロボットであって、
撮像部と、
前記顔の目の位置に配置される表示部と、
前記撮像部によって撮像された前記ロボットに正対するユーザの画像を前記表示部に表示させる表示制御部と、
を備えることを特徴とするロボット。
【００５６】
（付記２）
前記ユーザと正対するように前記顔の向きを調整する顔向調整部を備える、
ことを特徴とする付記１に記載のロボット。
【００５７】
（付記３）
前記表示制御部は、前記ユーザの画像を前記表示部の位置から撮像されたように補正したうえで前記表示部に表示させる、
ことを特徴とする付記１又は２に記載のロボット。
【００５８】
（付記４）
前記表示制御部は、前記ユーザとアイコンタクトが成立したときに、前記ユーザの画像を前記表示部に表示させる、
ことを特徴とする付記１から３の何れか１つに記載のロボット。
【００５９】
（付記５）
前記ユーザとアイコンタクトが成立したことを知らせるアイコンタクト報知部をさらに備える、
ことを特徴とする付記１から４の何れか１つに記載のロボット。
【００６０】
（付記６）
前記表示制御部は、前記撮像部が撮像したユーザが特定の人物であるか否かを判別し、特定の人物である場合は、該人物の画像に所定の処理を施した画像を前記表示部に表示させる、
ことを特徴とする付記１から５の何れか１つに記載のロボット。
【００６１】
（付記７）
前記表示制御部は、前記撮像部によって撮像された画像内から複数のユーザが検出された場合に、前記ロボットと最もコミュニケーションしたいと想定されるユーザの画像を前記表示部に表示させる、
ことを特徴とする付記１から６の何れか１つに記載のロボット。
【００６２】
（付記８）
前記ロボットと最もコミュニケーションしたいと想定されるユーザの画像は、前記撮像部によって撮像された画像内で最も中央にあるユーザの画像、最もサイズの大きいユーザの画像、前記ロボットとの距離が最も近いユーザの画像、前記ロボットと最も視線の合うユーザの画像、音声の発信元に最も近い位置又は方向にあるユーザの画像の何れかである、
ことを特徴とする付記７に記載のロボット。
【００６３】
（付記９）
前記表示部に表示されている画像の被写体であるユーザが別のユーザに切り替わることを報知するユーザ切替報知部を備える、
ことを特徴とする付記１から８の何れか１つに記載のロボット。
【００６４】
（付記１０）
前記ユーザ切替報知部は、前記表示部に目の瞬きを模した映像を表示させることにより前記報知を行う、
ことを特徴とする付記９に記載のロボット。
【００６５】
（付記１１）
撮像部と顔の目の位置に配置される表示部とを備えたロボットを制御するコンピュータを、
前記撮像部に撮像させる撮像制御手段、
前記撮像された前記ロボットに正対するユーザの画像を前記表示部に表示させる表示制御手段、
として機能させるプログラム。
【００６６】
（付記１２）
前記表示制御手段は、前記ユーザの画像を前記表示部の位置から撮像されたように補正したうえで前記表示部に表示させる、
ことを特徴とする付記１１に記載のプログラム。
【００６７】
（付記１３）
前記コンピュータを、前記ユーザとアイコンタクトが成立したことを知らせる報知手段としてさらに機能させる、
付記１１又は１２に記載のプログラム。
【００６８】
（付記１４）
前記コンピュータを、前記撮像部により撮像された画像内から複数のユーザが検出された際に、所定の条件を満たすユーザを判別する判別手段としてさらに機能させ、
前記表示制御手段は、前記所定の条件を満たすユーザの画像を表示させる、
付記１１から１３の何れか１つに記載のプログラム。
【符号の説明】
【００６９】
１０…ロボット、１００…顔、１０１（１０１Ｌ，１０１Ｒ）…表示装置（表示部）、１０２…カメラ（撮像部）、１０３…スピーカ、１０４…マイク、１０５…首駆動部、１０６…操作ボタン、１０７…センサ群、１０８…電源部、１０９…記憶部、１１０…制御部、２００…首、３００…胴体
【図１】
0006686583.tif 000002
【図２】
0006686583.tif 000003
【図３】
0006686583.tif 000004
【図４】
0006686583.tif 000005
【図５】
0006686583.tif 000006
【図６】
0006686583.tif 000007
【図７】
0006686583.tif 000008